Podtech/llm-jp-corpus-v4-ja_patent huggingface dataset:
(57)【要約】      （修正有）【課題】乳児には授乳等の飲用後にはきもどしやよだれをたれる事が多く、これによって衣類が汚れないようによだれかけを着ける必要があるが、着けるには保育者は腕や手で乳児の首を支えながらよだれかけに付随している紐を首のうしろで結ばなければならず頻繁に着けるには非常に難しく、着けたりはずしたりする事が手早く簡単に出来るよだれかけを提供する。【解決手段】よだれかけに付随している紐をなくして、原形状態から拡張変形させることのできる芯材を衿くりに縫いこんだよだれかけに変えることにより乳児の正面から首に挟み込み、着ける事が容易に行うことができる。【選択図】図１
0003163354.tif 000002
【実用新案登録請求の範囲】
【請求項１】
布地の一部に乳児の首がはいるＣ型穴をあけ、この穴の縁に沿ってＣ字型の形をもち、かつこの状態から手でつまんで拡張変形させることが出来、加えた力を取り除くと原形に復旧する事が出来る芯材を縫い込んだよだれかけ。
【考案の詳細な説明】
【技術分野】
【０００１】  本考案は乳児が首に着けて用いるよだれかけの改良に関するものである。
【背景技術】
【０００２】  乳児用のよだれかけには、一般に布地に紐がつけられていて、この紐を首の後ろに回して結ぶタイプや紐の先端部分に鈎部とループ状起毛部分とからなるマジックファスナーを取り付けて、これで固定するタイプ等がある。【０００３】  乳児の授乳後のはきもどしや、たれたよだれで大切な衣類をよごさない為によだれかけを首につけて防御的役割を成していた。
【先行技術文献】
【特許文献】
【０００４】
【特許文献１】特開２００２−３８３２０号公報
【考案の概要】
【考案が解決しようとする課題】
【０００５】  しかし、生後間もない乳児によだれかけを着ける際、乳児はまだ首がすわっていない為、保育者は腕や手で首を支えながら、よだれかけの紐を首の後ろに回して結ぶ事が必要となり、この作業が非常に難しかった。
【課題を解決するための手段】
【０００６】  本考案は乳児の首を動かすことなく着ける事ができるようにしたよだれかけであって、紐の部分をなくして衿くりの部分に自在に拡張変形させることができる芯材を縫い込んだものである。
【考案の効果】
【０００７】  よだれかけの衿くりの部分に沿って芯材を縫いつけることにより、芯材のもつ形状記憶特性を利用して自在に拡張変形させることができ、乳児の首状態を気にすることなしに楽に着けることができるようになった。【０００８】  具体的には乳児の正面から、よだれかけの衿くりの先端を両手で左右に開き、その状態で乳児の首の後ろまで持っていき、首の後ろで手をはなすことにより、芯材が元の形にもどり乳児の首に着ける事が可能となり腕や手で乳児の首支えしながら紐を首の後ろで結ぶことがなくなり手軽に用いる事が出来るようになった。
【図面の簡単な説明】
【０００９】
【図１】本考案に係るよだれかけの正面図
【図２】拡張変形させることのできる芯材
【図３】乳児によだれかけを着ける以前の略図
【図４】乳児によだれかけを着けた後の略図
【考案を実施するための形態】
【００１０】  ガーゼや綿、ポリエステル等のやわらかい素材を使用し、横巾３０センチ、縦巾２４センチの大きさの楕円形に切り取った布地１の一部に乳児の首がはいる直径７〜８センチ程度の大きさのＣ型穴２をあけ、この穴の周囲の衿くり部分３に衿くりに沿った形、即ちＣ字型の形状記憶合金やプラスチックからなる厚さ０．５ミリメートル、長さ２１センチ両先端部分には直径４ミリメートル程の球体を取り付けた芯材４を縫い込んだものである。この形状であれば芯材をつまんで左右に拡げ、この拡げた部分からＣ字内側へ乳児の首を簡単に入り込ませることができる。
【符号の説明】
【００１１】１  布地
２  首を通す穴
３  衿くり
４  芯材
【図１】
0003163354.tif 000003
【図２】
0003163354.tif 000004
【図３】
0003163354.tif 000005
【図４】
0003163354.tif 000006
(57)【要約】      （修正有）【課題】小じわを解消すべく多量の細胞間充填液を表皮内に注入することができるブローニードルを提供する。【解決手段】細径針の基部をロッド先端に割刻挿入し、細胞間充填液の含浸性に優れた糸で割刻部を巻装し、そのまま細径針をも巻装し、細径針の先端部を０．２ミリほど残してリターンし、この操作を四回繰り返し、四段巻き糸を形成する。【選択図】図１
0003163359.tif 000002
【実用新案登録請求の範囲】
【請求項１】
ロッド先端に取り付けた細径針１に、針先端部を０．２ミリほど残して、糸２を少なくとも４回重ねて巻装する、ブローニードル。
【請求項２】
ロッド先端に設けた割刻部に細径針１を挿入し、針先端部を人の表皮ほどの厚さ分を残して、細胞間充填液の含浸性に優れた糸２で４回重ねて巻き、四段巻き糸２を形成する、ブローニードル。
【請求項３】
絹糸を採用する、請求項２記載のブローニードル。
【考案の詳細な説明】
【技術分野】
【０００１】  本考案は小じわを解消するブロー成形法に関する。細径針を用いて細胞間充填液を小じわ表皮内に垂らしこむ。
【背景技術】
【０００２】  肌に栄養を運んでいる毛細血管はごく細い血管でできていて、目の細かい網のように肌を網羅しています。その位置は真皮層の上層、表皮のすぐ下ですから、わずか０．２ｍｍほどのところにあります。少しでも強い力が加われば血行が良くなるのではなく、毛細血管が損傷します。肌に赤みがでるようなマッサージは、既に毛細血管にはマイナス面の方が多い。摩擦で肌（角質）を傷めない滑りの良いクリームで、優しくマッサージが基本といわれている。顔の筋肉は骨と骨を結び収縮させるような骨格筋とは異なり、皮膚と骨、皮膚と腱膜といった非常にデリケートな接合部であるため強い力が加わると、簡単に壊れます。ストレスや僅かな外力の積み重ねりにより皺（以下小じわと称する）は形成される。人の皮膚は表面から表皮、真皮、皮下と構成され、神経組織や毛細血管は真皮まで達している。細径針先端がこの真皮に達すると痛みや出血を伴う。おおむね表皮（真皮一部）内に顔料を沈着させて眉をメイクするブロー成形技術は極めて高度な経験が要求される。本考案者は既にこの眉メイク技術を体得し普及させており、細径針の開発にも長らく携わってきた。
【特許文献１】  特開平７−２３８４１１号公報
【特許文献２】  実用新案登録第３０６２１５２号
【特許文献３】  実開昭６４−４０４１６号公報
【考案の開示】
【考案が解決しようとする課題】
【０００３】  無資格者がこのブロー成形施術をすると出血にともなう腫れや化膿を招く。図２のように表皮５内に細径針１の先端がとどまっていれば痛みや出血はない。真皮６に深く入り込むから痛いのである。表皮５に対して所定角度の傾きを保ったまま表皮内に圧入された細径針１が、この表皮５内にとどまるように糸２の巻装太さ等に工夫が要求される。更に、刺し込みが繰り返されても細径針１先端に小じわを解消するに十分な細胞間充填液の供給が必要となる。
【課題を解決するための手段】
【０００４】  割刻部を設けたロッド先端に、細径針を挿入し、針先端部も約０．２ミリほど残して、細胞間充填液の含浸性の優れた糸２で少なくとも四回重ねて巻装して、ブローニードルを形成する。表皮に対して所定角度を保った状態でブローニードルを小じわ近傍の表皮の押し付け、四段重ねの糸を圧縮して細胞間充填液を細径針先端近傍に導き、ピンと跳ね返す細径針が残す刺し傷内にこの充填液を注入する。
【考案の効果】
【０００５】  細径針１は僅かな先端部（表皮厚さ）を残して四段巻きの糸が巻装されているため、従来の二段巻きなどに較べて十分な細胞間充填液が含浸されている。小じわ平面に対して所定角度を保ちながら細径針を皮膚に押し付けると、四段巻きの糸は圧縮され多量の細胞間充填液を細径針先端へと供給する。細径針１をピンと引っ掻くように持ち上げると、小じわの表皮内に細胞間充填液が注入される。この操作を繰り返すことで小じわは隆起し、見た目には解消される。従来の眉メイクの顔料よりも多量の細胞間充填液が必要となるが、本考案では、細径針の基部に四段巻き糸が配置されているため、皮膚に押し付け時に、多量の細胞間充填液が表皮内に注入される。
【図面の簡単な説明】
【０００６】
【図１】  ブローニードルの正面図である。
【図２】  ブローニードル先端を表皮内に差し込んだ時の説明図である。
【考案を実施するための最良の形態】
【０００７】  ロッド（図示せず）先端に設けた割刻部に、細径針１を挿入し、細胞間充填液の含浸性の優れた糸２で割刻部を巻装し、そのまま細径針１をも巻装し、細径針の先端部を約０．２ミリ残してリターンし、この操作を少なくとも４回繰り返して細径針基部とロッド先端を糸２で四段巻装する。絹糸または木綿糸が採用される。従来の二段巻き方式や三段巻き方式が階段状に巻かれるに較べて、本考案では、細径針１の先端を僅かに０．２ミリの残して四段巻き糸２が臨んでおり、ブローニードルを表皮に押し当てた際には、多量の細胞間充填液が細径針先端近傍に満たされる。
このブローニードルの施術法について説明する。上述したように顔の筋肉は骨と骨を結び収縮させるような骨格筋とは異なり、皮膚と骨、皮膚と腱膜といった非常にデリケートな接合部であるため強い力が加わると、簡単に壊れます。ストレスや僅かな外力の積み重ねりにより小じわは形成される。人の皮膚は表面から表皮、真皮、皮下と構成され、神経組織や毛細血管は真皮まで達している。細径針先端がこの真皮に達すると痛みや出血を伴う。人体に無害でその表面張力により細胞間に分散することなく留まる細胞間充填液は、成形外科分野で広く普及利用されている。小じわの下部に細胞間充填液を圧入することで、見た目に小じわを解消する。図２のように、所定の角度を保ってブローニードルを皮膚に押し付け、表皮５に僅かな刺し傷（キズというよりも凹部）を生じさせ、押し付けられた四段巻き糸２を圧迫して細胞間充填液を凹部に満たし、図２の状態からピーンと細径針１を持ち上げて、細径針１の先端差込キズ内へと細胞間充填液を圧入する。表皮の凹部は弾性変形であり、元の平面状に復帰する。この際に、一部の細胞間充填液は表皮内に閉じ込められる（圧入と表現する）。従来の眉メイクに較べて多量の細胞間充填液が一度の操作で圧入され、施術作業性は向上する。【０００８】  図２のように細径針１の先端が表皮５にとどまることが重要である。真皮６に達すると神経を刺激し痛みを伴うばかりでなく、医学処置として施術は違法となる。表皮は３０日ほどで入れ替わるために、違法にはならないのである。表皮は約０．２ミリの厚さであるため、四段巻き糸２は、細径針１先端から僅か約０．２ミリ後退している。斜めに細径針１が差し込まれるので０．３ミリでも良い。施術者の技能にもよる。糸２は絹が好ましい。
【産業上の利用可能性】
【０００９】  ストレス社会において、小じわの見た目での解消は高齢化社会のニーズに対応する。小じわの目立たない働く女子が元気になり労働生産性向上に大いに寄与する。
【符号の説明】
【００１０】１          細径針
２          糸
５          表皮
６          真皮
【図１】
0003163359.tif 000003
【図２】
0003163359.tif 000004
(57)【要約】      （修正有）【課題】一般家庭で主に食品に使用されるロール状に巻かれたラップフィルムの切断端部を容易に見つけやすく、且つ、ロール状に巻かれた状態からラップフィルムをはがすのを容易にする２層ラップフィルムを提供する。【解決手段】ラップフィルム２の片面に薄い紙１を貼り付けて２層にしたものを、一枚のフィルムとして形成させ、これをロール芯３に巻きつけてロールフィルム層とする。また、薄い紙１の幅をラップフィルム２よりも幅を狭く設定し、密着させた状態では、ラップフィルム２の幅の端より１０ミリ程度狭くしてラップフィルム２を露出させ、ラップ幅と薄い紙幅の差５を作って、ラップフィルム幅と薄い紙幅の差をつくることで、食器に被せた後で薄い紙１を剥がすのをさらに容易にする。【選択図】図２
0003163358.tif 000002
【実用新案登録請求の範囲】
【請求項１】
ラップフィルム片面に薄い中間紙を接合して、この状態を一枚のラップフィルムとしてロール状にした２層ラップフィルム
【考案の詳細な説明】
【技術分野】
【０００１】  本考案は、一般家庭で主に食品に使用されるロール状に巻かれたラップフィルムの切断端部を容易に見つけやすく、且つ、ロール状に巻かれた状態からラップフィルムをはがすのを容易にするものである。
【背景技術】
【０００２】  従来、薄いラップフィルムはロール芯に密着して巻かれ層をなしていて、使用するときは、密着したフィルムを層から剥がしロールから開放させて、食品容器に被せて使用する。
【先行技術文献】
【０００３】
【特許文献１】  特許出願番号２００７−７２７５２は、ラップフィルムの最終端が近いことを判らせるよう、終端が近いことを表示した小片を、巻かれたラップフィルムの終端付近適所に貼り付けておき、それによりフィルム残量が外部より認識できるようにしたものである。
【考案の概要】
【考案が解決しようとする課題】
【０００４】  以上に述べたようにラップフィルムは何層にも密着して巻きつけられている状態であり、この巻きつけられてラップフィルムどうしが密着した状態からフィルムを剥がそうとするとき、フィルム自身が極薄であり、透明でもあるために、フィルムの端部の識別が非常に困難である。【０００５】  通常は外装である紙箱ケースの一部にスリット状の隙間を設けるようにして、使用開始最初にロール状となっているラップフィルム端部４を剥がして、このスリット状の隙間を通して使用し、適量を切断した未使用部分のラップフィルムはラップフィルム端部４付近を、このスリット状の隙間付近に軽く密着させておき、次回使用するときにラップフィルムを引き出しやすくして使用している。【０００６】  しかしながら、ラップフィルム自身の性質としては接着性があるわけではなく、ラップフィルムは紙等のケース隙間の一部に軽く密着して、その状態を保持しているに過ぎない。【０００７】  ゆえに、この軽く密着された不安定な密着状況から、ラップフィルムが外れて、ラップフィルムは巻かれているロール面に密着してしまい、再び使用しようとするとき、ラップフィルムどうしの密着力は強く、フィルムの薄いこととあいまって、ラップフィルムを剥がすのが困難であり、剥がす作業に無駄な時間を費やすこととなっているため、このフィルムを剥がす作業を簡単にする必要がある。
【課題を解決するための手段】
【０００７】  上記目的を達成するために、ラップフィルム２の片面に薄い紙１を貼り付けて２層にしたものを、一枚のフィルムとして形成させ、これをロール芯３に巻きつけてロールフィルム層とする。【０００８】  また、薄い紙１の幅をラップフィルム２よりも幅を狭く設定し、密着させた状態では、ラップフィルム２の幅の端より１０ミリ程度狭くしてラップフィルム２を露出させ、ラップ幅と薄い紙幅の差５を作って、ラップフィルム幅と薄い紙幅の差をつくることで、食器７に被せた後で薄い紙１を剥がすのをさらに容易にする。
【考案の効果】
【０００９】  本考案のラップフィルムは薄い紙を密着させてロール状に巻いたものであるから、薄い透明のフィルムが積層となったもののように全体が透明ではなく、薄い紙１があることにより、切断端部４の位置がわかりやすい。【００１０】  また、薄い紙１によって、フィルムどうしが密着していないため、ロール状態からラップフィルムを容易に剥がすことができる。
【図面の簡単な説明】
【００１１】
【図１】  本考案の状態を示した斜視図である
【図２】  本考案の薄い紙幅をフィルム幅より狭くした状態を示す斜視図である
【図３】  本考案の構造を示す誇張断面図である
【図４】  本考案の２層ラップフィルムを食品に被せたイメージ断面図である
【考案を実施するための形態】
【００１２】  以下符号をもとに説明する。ラップフィルム２の片面に薄い紙１を密着接合し、この状態を一枚のラップフィルムとして形成させる。接合面は接着剤接合状の密着力ではなく、引き剥がることが容易な程度とする。
【００１３】  上記２層となったラップフィルムを、薄い紙１側が外になるようにロール芯３に巻きつける。
【００１４】  使用する紙は、より識別を容易にするために、薄い色付きの紙を使用することもよい。
【符合の説明】
【００１５】１    薄い紙
２    ラップフィルム
３    ロール芯
４    切断端部
５    ラップ幅と薄い紙幅の差
６    食品
７    食品容器
【図１】
0003163358.tif 000003
【図２】
0003163358.tif 000004
【図３】
0003163358.tif 000005
【図４】
0003163358.tif 000006
(57)【要約】      （修正有）【課題】良好な誘引成分の放散を可能としたダニ誘引、捕集具を提供する。【解決手段】ダニ誘引、補集具が、二層の通気性のシート材料から成る外層１２、１４と、外層１２、１４の間において略中心部に配置されダニ誘引成分を含む誘引層１８と、外層１２、１４の間において、誘引層１８と重なり合わないように、かつ、外層１２、１４の内面に対面するように配置された粘着層１６とを具備する。【選択図】図１
0003163352.tif 000002
【実用新案登録請求の範囲】
【請求項１】
ニ層の通気性のシート材料から成る外層と、
前記外層の間において略中心部に配置され、ダニ誘引成分を含む誘引層と、
前記外層の間において、前記誘引層と重なり合わないように、かつ、前記外層の内面に対面するように配置された粘着層とを具備するダニ誘引、補集具。
【請求項２】
前記誘引層は、ダニ誘引成分を放散する誘引剤を通気性の不織布から形成した袋体内に封入して形成される請求項１に記載のダニ誘引、補集具。
【請求項３】
前記誘引剤は、プロピオン酸ゲラニル、ラクトン、バターフレーバー、ミルクフレーバー、アルデハイド、バニラオイルから成る群から選択される芳香成分を含む請求項２に記載のダニ誘引、補集具。
【請求項４】
前記誘引剤は、前記芳香成分をエタノールを溶剤として使用して、ミキサー内でシリカゲルに噴霧することによって形成される請求項３に記載のダニ誘引、補集具。
【請求項５】
前記粘着層は、粘着剤を前記外層の双方または何れか一方の内面に塗布することによって形成される請求項１〜４の何れか１項に記載のダニ誘引、補集具。
【請求項６】
前記粘着層は、両面テープである請求項１〜４の何れか１項に記載のダニ誘引、補集具。
【考案の詳細な説明】
【技術分野】
【０００１】
本考案は、ダニを誘引して捕集するためのダニ誘引、補集具に関する。
【背景技術】
【０００２】
特許文献１には、ダニを捕集する防ダニシートが開示されている。該防ダニシートは、通気性のあるシート層と、該シート層の間に配設されフルーツエキス等のダニ誘引剤を含む誘引層とを具備している。誘引層は、粘着剤とダニ誘引剤との混合物を不織布またはシート物に塗布したり、解繊パルプ（繊維をほぐしたもの）とバインダーと粘着剤とダニ誘引剤との混合物より形成したり、粘着剤にダニ誘引剤を混練したりして形成することができる。ダニ誘引剤の具体例として、二酸化けい素(SiO2)を壁材とした徐放性無機質マイクロカプセルにフルーツエキスを充填し、さらにそのフルーツエキスを酵母で発酵させたものが採用できる旨記載されている。
【先行技術文献】
【特許文献】
【０００３】
【特許文献１】特開２００２−２５３１０３号公報
【考案の概要】
【考案が解決しようとする課題】
【０００４】
特許文献１に記載の防ダニシートは、良好にダニを誘引、捕集可能なように見えるが、粘着剤と誘引剤とを混合してしまうので、粘着剤がマイクロカプセルの表面に被覆されたり、マイクロカプセル内に沁み込んだりして、十分な量の誘引成分が放出されない問題がある。
【０００５】
本考案は、こうした従来技術の問題を解決することを技術課題としており、良好な誘引成分の放散を可能としたダニ誘引、補集具を提供することを目的としている。
【課題を解決するための手段】
【０００６】
既述の目的を達成するために、請求項１に記載の本考案は、ニ層の通気性のシート材料から成る外層と、前記外層の間において略中心部に配置され、ダニ誘引成分を含む誘引層と、前記外層の間において、前記誘引層と重なり合わないように、かつ、前記外層の内面に対面するように配置された粘着層とを具備するダニ誘引、補集具を要旨とする。
【図面の簡単な説明】
【０００７】
【図１】好ましい実施形態によるダニ誘引、補集具の断面図である。
【図２】好ましい実施形態によるダニ誘引、補集具の平面図である。
【考案を実施するための形態】
【０００８】
図１、２において、ダニ誘引、補集具１０は、外層１２、１４と、該外層１２、１４の間に配設された誘引層１８と、外層１２、１４の間で、誘引層１８の両側部に延在された粘着層１６とを具備している。
【０００９】
外層１２、１４は、ダニが通過できる大きさ、例えば１００μｍ程度の粗さの通気性を有したシート材料から形成することができる。より詳細には、外層１２、１４は、タオル地やパイル地等の通気性の織布、または、フリース地のような通気性の不織布から形成することができ、周縁部１０ａに沿って縫合、融着または接着等の方法によって接合されている。
【００１０】
誘引層１８は、例えば、通気性の不織布から形成した袋体内に誘引剤を封入して形成することができる。誘引剤は、１または複数の芳香成分を、例えばエタノールを溶剤として使用し、ミキサー内でシリカゲルに噴霧することによって形成することができる。芳香成分は、例えば、プロピオン酸ゲラニル、ラクトン、バターフレーバー、ミルクフレーバー、アルデハイド、バニラオイルから成る群から選択することができる。シリカゲルは、誘引層１８の不織布を通過できない粒径、例えば４０メッシュ不通過の粒径に揃えることが好ましい。
【００１１】
粘着層１６は、粘着剤を外層１２、１４の双方または何れか一方の内面に塗布することによって、形成することができる。或いは、両面テープを外層１２、１４の内面に貼付することによって形成してもよい。更に、図２において、粘着層１６、誘引層１８の両側部にのみ配設されているが、誘引層１８の四方を包囲するように配設してもよい。要は、粘着層１６は、外層１２、１４の間で誘引層１８に重なり合わないようように配置される。
【００１２】
本実施形態によれば、誘引層１８から放散される誘引成分によってダニが誘引され、該ダニは、外層１４、１６を通過した直後に粘着層１６によって捕捉される。ダニ誘引、補集具１０の設置後、例えば１〜２ヶ月後に、該ダニ誘引、補集具１０を廃棄分することによって、ダニを安全かつ効率的に補集、処分することができる。
【００１３】
また、本実施形態によれば、誘引層１８は、粘着層１６とは明確に区分された領域に形成されているので、誘引剤に粘着剤が付着することがなく、誘引剤の誘引成分の放散性が阻害されたり、シリカゲルの徐放性が低下することがない。
【００１４】
更に、本実施形態では、誘引層１８は、通気性の袋体内に誘引剤を封入して形成されるので、ダニ誘引、補集具１０に僅かに外力が作用するだけで、誘引層１８内のシリカゲルが移動し、誘引成分の放散が促進される。
【符号の説明】
【００１５】
１０    ダニ誘引、補集具
１２    外層
１４    外層
１６    粘着層
１８    誘引層
【図１】
0003163352.tif 000003
【図２】
0003163352.tif 000004
(57)【要約】【課題】クラブを振った際にボールからティに伝わる衝撃力をできるだけ減少させることである。【解決手段】台座と、台座の表面中央部から起立する円筒状の玉置部とを備えるパークゴルフ用ティにおいて、玉置部は、多数本の剛毛を束ねた剛毛束が台座の表面中央部の円周方向に亘って等角度おきに植毛された円筒状の縦格子形状であることを特徴とする。【選択図】      図１
0003163312.tif 000002
【実用新案登録請求の範囲】
【請求項１】
台座と、台座の表面中央部から起立する円筒状の玉置部とを備えるパークゴルフ用ティにおいて、
玉置部は、多数本の剛毛を束ねた剛毛束が台座の表面中央部の円周方向に亘って等角度おきに植毛された円筒状の縦格子形状であることを特徴とするパークゴルフ用ティ。
【考案の詳細な説明】
【技術分野】
【０００１】
本考案は、パークゴルフのボールを乗せるティに関する。
【背景技術】
【０００２】
パークゴルフにおいて、ティは各ホールの第１打の際にボールを乗せるために用いられる。このようなティとしては合成樹脂の一体成型品であって、図２に示すように、地面に置く台座９０の中央部から円筒状の玉置部９１が起立する構造のものが知られている。
【０００３】
玉置部９１は、ボールを安定して乗せるために、円筒の先端面に工夫がなされている。詳しく言えば、円筒の先端面は、外周から内周に向かって高さが低くなるテーパ形状としてある。このように、図２のティは、高い実用性を備えたものである。
【考案の概要】
【考案が解決しようとする課題】
【０００４】
ところで、クラブを振ると、クラブからボールに衝撃が加わる。衝撃力のうちごく僅かではあるが、その一部は、ティからボールが離れる際に、ティに吸収される。従って、できるだけティに衝撃力が吸収されないようにすれば、ボールの飛距離向上及び方向性の安定、並びにインパクト時の好感触が得られる。
【０００５】
本考案は上記実情を考慮して創作されたもので、その目的は、クラブを振った際にボールからティに伝わる衝撃力をできるだけ減少させることである。
【課題を解決するための手段】
【０００６】
本考案は、台座と、台座の表面中央部から起立する円筒状の玉置部とを備えるパークゴルフ用ティにおいて、玉置部は、多数本の剛毛を束ねた剛毛束が台座の表面中央部の円周方向に亘って等角度おきに植毛された円筒状の縦格子形状であることを特徴とする。
【０００７】
従って、ティに乗せたボールは、その底部が円筒状の縦格子形状である玉置部によって支持される。また、ボールの底部は、複数の剛毛束によって安定して支持される。その上、剛毛の先端がボールに接触することから、ボールは多数本の剛毛の先端で点接触されることになる。
【考案の効果】
【０００８】
本考案のパークゴルフ用ティによれば、多数本の剛毛の先端が点接触する形態でボールを支持できる。それゆえ、クラブを振った際にボールからティに伝わる衝撃力が、殆どなくなり、しかも、剛毛がボールの勢いによって撓むことから、衝撃力が台座には殆ど伝わらなくなる。その結果、ボールの飛距離向上及び方向性の安定、並びにインパクト時の好感触が得られる。
【図面の簡単な説明】
【０００９】
【図１】（イ）〜（ホ）図は、順に、パークゴルフ用ティの一部を拡大して平面方向から示す斜視図、使用状態図、正面図、平面図、底面図である。
【図２】従来のパークゴルフ用ティを示す斜視図である。
【考案を実施するための形態】
【００１０】
本考案のパークゴルフ用ティ１は、図１に示すようにブラシ状であって、地面に置く台座１０と、ボール２を乗せる玉置部２０とから構成されている。
【００１１】
台座１０は、円盤状である。その寸法は、例えば直径４７ｍｍ、厚み６ｍｍである。また、台座１０の表面には植毛用穴１１が形成されている。その寸法は、例えば直径２．８ｍｍ、深さ５ｍｍである。この深さで分かるように植毛用穴１１は底がある、つまり貫通していない。また、植毛用穴１１は、台座１０の表面中央部（半径方向の中間部）において、円周方向に亘って等角度ごとに形成されている。図示の例では、１６個形成されている。なお、植毛用穴１１以外にも、所々に表裏面を貫通する抜穴１２や、凹み１３が形成されている。
【００１２】
玉置部２０は、各植毛用穴１１に多数本（例えば３０本）の剛毛２１を植毛することによって形成される。図示の例では、多数本の剛毛２１を束ねた剛毛束２２が、台座１０の円周方向に亘って等角度ごとに配置されている。そのため、玉置部２０は、全体として円筒状の縦格子形状になっている。１６束の剛毛束２２の色は、１束おきに、黒、白（無色透明）、黒、白、…としてある。具体的な植毛の手法としては、束ねた剛毛束２２の下部を台座１０の植毛用穴１１に挿入して、接着や熱溶着して台座１０に固定する。剛毛束２２は、台座１０に対してほぼ真っ直ぐ、より詳しく言えば先端（上端）側が植毛用穴１１の直径よりも僅かに広がりながら起立した状態となっている。また、剛毛２１の突出長は、例えば、１６ｍｍである。
【００１３】
台座１０及び玉置部２０の剛毛２１は、その機能を発揮する限度において材料を問わない。例えば、ポリプロピレンや、ナイロン等が挙げられる。
【００１４】
上述したティ１は以下の要領で使用する。（１）玉置部２０が上を向くようにしてティ１を地面に置く。つまり、台座１０の裏面を地面につける。（２）玉置部２０の上にボール２を乗せると、ボール２が台座１０から浮いた状態となる。ボール２は、直径６０ｍｍで、上述したティ１よりも大きい。
【００１５】
このようにすると、これら剛毛束２２の上にボール２が乗っかることになる。このため、ボール２に対して多数本の剛毛２１が点接触する形態となる。つまり、ボール２は、多数の点で支持されている構造となる。
【００１６】
本考案は上記実施形態に限定されない。ティ１の台座１０や玉置部２０等の寸法は、前述したように一例である。
【符号の説明】
【００１７】
１ティ
２ボール
１０台座
１１植毛用穴
１２抜穴
１３凹み
２０玉置部
２１剛毛
２２剛毛束
【図１】
0003163312.tif 000003
【図２】
0003163312.tif 000004
(57)【要約】      （修正有）【課題】法人・団体の実印の刻面で、線描で表現した美術画、筆を使用した書家による美術的な文字、家紋などの図柄、法人・団体が使用するロゴマーク・商標、デザイン化されたシンボルマーク・標識、魚拓、などを表現する印鑑を提供する。【解決手段】法人が登録できる印鑑の大きさは、直径が１ｃｍから３ｃｍの範囲内である。この限られた刻面に芸術的な表現で刻印が出来るのは高い技術者だけである。よって、技能の高い印章・印鑑製作者に作製させることで緻密な表現で彫刻した高い技術と芸術的な要素を兼ねた印面とすることで唯一の印章・印鑑の価値を高めることになる。【選択図】図１
0003163350.tif 000002
【実用新案登録請求の範囲】
【請求項１】
実印として使用する印章・印鑑の捺印面の図柄である。
【請求項２】
法人登記の実印として刻印する図柄である。
【請求項３】
この刻印する面には文字を含む、図柄とする。
【請求項４】
この刻印する図柄は、線描で表現した美術画、筆を使用した書家による美術的な文字、家紋などの図柄、法人・団体が使用するロゴマーク・商標、デザイン化されたシンボルマーク・標識、魚拓、などを第三者に模造されない美術表現として使用する。
【考案の詳細な説明】
【技術分野】
【０００１】本考案は、印章・印鑑を緻密な表現で彫刻する高い技術と芸術的な技能を有する技術者による実印製作に関するものとする。
【背景技術】
【０００２】本考案を請求するに至った背景は、法人・団体が代表者の証を実印として法務局で登録する印章・印鑑に、線描で表現した美術画、筆を使用した書家による美術的な文字、家紋などの図柄、法人・団体が使用するロゴマーク・商標、デザイン化されたシンボルマーク・標識、魚拓、などを、緻密な表現で彫刻した高い技術と芸術的な要素を兼ねた印面を持つ印章・印鑑として登録・使用していないことに気づいたからである。
本考案が必要になった背景は、実用新案登録出願人・辰己玲子は絵画を製作する芸術家であり、本法人を設立するにあたり本考案が示す芸術的な刻面を法人の実印として登録・使用できることを考案したからである。
【先行技術文献】
【特許文献】
【０００３】
【特許文献１】  特許公開２０１０−０５８４０９  印鑑
【特許文献２】  特許公開２００９−１３７２２３  印鑑
【特許文献３】  特許公開２００６−２８９８８９  印鑑
【特許文献４】  特許公開２００５−３３５１１４  印鑑
【特許文献５】  特許公開２００５−０２８８５８  各種印鑑の刻印面の形状
【特許文献６】  特許公開２００５−００７８０３  印鑑
【特許文献７】  特許公開２００２−２７３９９５  印鑑
【特許文献８】  特許公開平０８−１０４０４６    印鑑
【特許文献９】  実用新案公開平０７−０３７６４８  印鑑
【特許文献１０】  実用新案公開平０６−０６４９０４  印鑑
【特許文献１１】  実用新案公開平０５−０７８５６７  印鑑
【特許文献１２】  登録実用新案第３１４９４７２号  印鑑
【特許文献１３】  登録実用新案第３０１５７７１号  印鑑
【特許文献１４】  登録実用新案第３０１０３１４号  印鑑
【特許文献１５】  登録実用新案第３０１０２４７号  印鑑
【特許文献１６】  登録実用新案第３００８５９８号  印鑑上記、各々の印鑑に関する特許または実用新案は、印鑑の形状、構造、工夫に関わる内容であり、本考案の内容とは目的を異にする。
【非特許文献】
【０００４】
【非特許文献１】商法  第三章  商業登記  第八条〜第十条  に、登記について、印鑑の刻印面に関する記載がない。
【非特許文献２】商業登記法  第十二条  印鑑証明  には、印鑑の証明書に関する交付の請求。同法  第二十条  印鑑の提出  一項には、登記の申請者がその印鑑を登記所に提出すること、二項には一項の規定に関する代理人による登録が可能であること、三項には会社の支店の所在地に関する記述がある。よって、この商業登記法には印鑑の刻印面に関する記載がない。よって、本考案を規制する記述は、商法、商業登記法にはなく新しいものといえる。
【考案の概要】
法人実印の刻印面を美術表現
【考案が解決しようとする課題】
【０００５】法人・団体の実印の刻面で、線描で表現した美術画、筆を使用した書家による美術的な文字、家紋などの図柄、法人・団体が使用するロゴマーク・商標、デザイン化されたシンボルマーク・標識、魚拓、などを表現すること。
【課題を解決するための手段】
【０００６】技能の高い印章・印鑑製作者により、緻密な表現で彫刻した高い技術と芸術的な要素を兼ねた印面とすることで唯一の印章・印鑑の価値を高めることになる。
【考案を実施するための最良の形態】
【０００７】法人が登録できる印鑑の大きさは、直径が１ｃｍから３ｃｍの範囲内である。
この限られた刻面に芸術的な表現で刻印が出来るのは高い技術者だけである。
よって、技能の高い印章・印鑑製作者に作製させることである。
【考案の効果】
【０００８】法人・団体の唯一の登録実印が本刻印面を美術表現した実印を使用することで、従来の会社名・代表者名などの文字だけで表現・証明されるものから、法人・団体が所有する美術・工芸品で意識の高い証明印として価値が高まる。
【図面の簡単な説明】
【０００９】
【図１】法人・団体が使用する実印の刻印面に当考案の図柄を表現するもの。
【符号の説明】
【００１０】１  印鑑全体
２  印鑑の頂上、持つ側
３  刻印面。
【産業上の利用の可能性】
【００１１】本考案が産業上利する点は、法人・団体の代表者が実用である印章・印鑑を美術工芸品として使用することで、印章業界に従事する職人の技能を高め、印章を取り扱う印章業に新たな製作依頼を産むことにつながる。さらに、インターネット・ブラウザ（ＰＣ及び携帯電話での情報閲覧）で広く告知することで新たな需要と供給を生み出すことにつながる。
【受託番号】
【図１】
0003163350.tif 000003
【図２】
0003163350.tif 000004
【図３】
0003163350.tif 000005
【手続補正書】
【提出日】平成22年8月2日(2010.8.2)
【手続補正１】
【補正対象書類名】実用新案登録請求の範囲
【補正対象項目名】全文
【補正方法】変更
【補正の内容】
【実用新案登録請求の範囲】
【請求項１】
線描で表現した美術画、筆を使用した書家による美術的な文字、家紋などを用いた図柄、法人・団体が使用するロゴマーク・商標、デザイン化されたシンボルマーク・標識、魚拓、など第三者に模造されない精密な刻印面を持つ印鑑。
【請求項２】
刻印面が１センチから３センチ以内の直径の円形であることを特徴とする請求項１に記載の印鑑。
【手続補正２】
【補正対象書類名】明細書
【補正対象項目名】０００９
【補正方法】変更
【補正の内容】
【０００９】
【図１】印鑑全体
【図２】印鑑の頂上、持つ側
【図３】刻印面
【手続補正３】
【補正対象書類名】図面
【補正対象項目名】図３
【補正方法】変更
【補正の内容】
【図３】
0003163350.tif 000006
(57)【要約】【課題】屋外の防犯対策にて通信回線が無い場所や給電線がない場所でも手軽に警戒ができるシステムを可能とする。【解決手段】センサからの信号監視及び通報を処理するマイクロコンピュータ機器とモバイル用ルータをイーサネット（登録商標）にて通信させ、モバイル用ルータに接続されるモバイル端末によりインターネット網へ接続させることで屋外での常時監視を行う。また、給電不可能な場所においては太陽光発電にて電源供給を行うことで電源を確保する。【選択図】図１
0003163349.tif 000002
【実用新案登録請求の範囲】
【請求項１】
センサによる監視データをマイクロコンピュータ機器にて処理させ、音や光による警告及びモバイル用ルータ及びモバイル端末を使用しインターネット網へ監視データを伝送させることを特徴とするセンサ検知通報システム。
【請求項２】
給電可能な場合は無停電電源装置による電源供給、給電不可能な場合は太陽光発電パネル及び充配電装置による電源供給することを特徴とする請求項１記載のセンサ検知通報システム。
【考案の詳細な説明】
【技術分野】
【０００１】
本考案は、通信回線のない屋外にて使用されるセンサ検知通報システムに関するものである。
【背景技術】
【０００２】
近年、田畑や屋外倉庫といった家屋から離れた屋外での盗難が増えている。このため、通信回線や給電線が無い場合に対して効率的、且つ、効果的に抑止する必要性が高くなっている。
【０００３】
現行の無線を利用した屋外の通報システムは、いずれも無線が利用できる範囲内での使用を考案されており、監視対象から想定以上の距離が離れた場合は、複数の無線中継装置導入や無線受信装置からインターネット網へ接続するなどの対応が行われている。
【０００４】
これらの無線を利用した機器の場合、送信側と受信側の機器を必要とすること、監視範囲が無線の届く範囲に限られることという制約が発生する。
【０００５】
この改善策として、送受信機が必要な無線を使用せず、且つ、給電ができない場所でも動作できるシステムを考案する。
【先行技術文献】
【特許文献】
【０００６】
【特許文献１】特許公開２００６−１８５０２８公報
【０００７】
【特許文献２】特許公開２００７−２７９８４４公報
【考案の概要】
【考案が解決しようとする課題】
【０００８】
解決しようとする問題点は、通信回線が無い場所での通信手段確保の点と、給電線が無い場所での電源確保の点である。
【課題を解決するための手段】
【０００９】
本考案は、通信手段を確保するために目視可能とするためモバイル及びモバイルルータを使用することでインターネット網へ直接接続し、電源確保のため太陽光パネル及び蓄電池を使用することで独立した給電を行うことを主要な特徴とする。
【考案の効果】
【００１０】
本考案のセンサ検知通報システムは、監視通報においてモバイル及びモバイルルータを通してインターネット網へ接続するためモバイル通信が可能であれば通報が可能となり、給電ができない場所においても太陽光パネル及び蓄電池を使用するため独立した給電ができるという利点がある。
【図面の簡単な説明】
【００１１】
【図１】図１はセンサ検知通報システムのシステム概要を示した図である。
【図２】図２はセンサ検知通報システムにて給電可能時の実施方法を示した説明図である。（実施例１）
【図３】図３はセンサ検知通報システムにて給電不可時の実施方法を示した説明図である。（実施例２）
【図４】図４はセンサ検知通報システムの信号処理の流れを示した図である。
【考案を実施するための形態】
【００１２】
屋外での離れた監視場所での使用を目的としているため、屋外用ケース，監視通報装置，モバイル用ルータ，モバイル端末，給電が可能な場合は無停電電源装置と蓄電池，給電が不可能な場合は太陽光パネル，配電盤，蓄電池を使用することで実現する。
【００１３】
図１は本考案システムの概要図である。
【００１４】
監視対象物に対し１００及び１０１といった動体センサなどのセンサにて監視を行い、検知時には監視信号を１に対し出力し、１にて信号処理後２００に対し動作信号を送ることにより、２００より音及び光を発生させる。また、インターネット網を利用し検知情報を監視者へ通報する。
【００１５】
１は信号監視及び通報を処理するマイクロコンピュータ機器である。１００及び１０１といった動体センサなどのセンサに対する電源供給及び監視信号入力処理、監視信号外部出力処理、通報処理を行う。また、２に対してイーサネット（登録商標）を利用し生成された監視データを伝送する。
【００１６】
２はモバイル用ルータ、３はモバイル端末である。１より伝送されてきた監視データを３のモバイル端末を介してインターネット網へ伝送する。
【００１７】
４は無停電電源装置、６は蓄電池である。給電が可能である場合、４と６の組み合わせにて電源供給を行う。
【００１８】
５は充配電装置、６は蓄電池、１０は太陽光発電パネルである。給電が不可能である場合、５と６と１０の組み合わせにて電源供給を行う。
【実施例１】
【００１９】
図２は給電可能時の実施方法を示した説明図であって、給電可能であることから００１７に示した４と６の組み合わせによる電源供給を行う。
【００２０】
１００及び１０１などの動体センサによる監視信号を１にて常時監視しておき、センサにて検知した際は２００より音及び光による警告、２及び３を介しインターネット網を使用した通報を行う。
【実施例２】
【００２１】
図３は給電不可能時の実施方法を示した説明図であって、給電可能であることから００１８に示した５と６及び１０の組み合わせによる電源供給を行う。
【００２２】
１０１などの動体センサによる監視信号を１にて常時監視しておき、センサにて検知した際は２００より音及び光による警告、２及び３を介しインターネット網を使用した通報を行う。
【産業上の利用可能性】
【００２３】
屋外の通信回線や給電線の引き込みが難しい場所での使用が可能となるため、センサの種類によっては防犯設備としての活用だけでなく、認知症徘徊者の確認通知などの用途にも使用できる。
【符号の説明】
【００２４】
１      信号監視及び通報を処理するマイクロコンピュータ機器
２      モバイル用ルータ
３      モバイル端末
４      無停電電源装置
５      充配電装置
６      蓄電池
１０    太陽光発電パネル
１００  動体センサ１
１０１  動体センサ２
２００  回転灯及び警報発生装置
【図１】
0003163349.tif 000003
【図２】
0003163349.tif 000004
【図３】
0003163349.tif 000005
【図４】
0003163349.tif 000006
(57)【要約】      （修正有）【課題】書き込み欄を設けた暦を、数年分あるいは数十年分連ねることにより、記録の保管と過去の出来事の検索の便を図ることができる多年用ダイアリーノートを提供する。【解決手段】１頁又は見開き頁に１年分若しくは、１ケ月分のカレンダーと書き込み欄を設けて刷り込み、Ｂ５版程度のノートやファイル、バインダーに綴れば、１冊で多年用のダイアリーノートが作成され、保存と保管スペース並びに取り扱いなどの課題が解決される。【選択図】図１
0003163367.tif 000002
【実用新案登録請求の範囲】
【請求項１】
Ｂ５版程度の大きさの用紙で、１頁又は見開き頁に１年分のカレンダーと書き込み欄を配置し、それを数年分、数十年分綴ったことを特徴とする多年用のダイアリーノート。
【請求項２】
Ｂ５版程度の大きさの用紙で、１頁又は見開き頁に１ケ月分のカレンダーと書き込み欄を配置し、それを数年分綴ったことを特徴とする多年用のダイアリーノート。
【考案の詳細な説明】
【技術分野】
【０００１】  本考案は、書き込み欄を設けた暦を多年分連ねたダイアリーに関するものである。
【背景技術】
【０００２】  書き込みをしたカレンダーや手帳、ダイアリーを基に、過去の出来事を振り返りたい場合には、毎月、毎年更新される分を長年に渡り保管するしかなかった。
【先行技術文献】
【特許文献】
【０００３】
【特許文献１】実用新案出願平８−１２６５５
【特許文献２】特開平８−２５８４６２号  公報
【特許文献３】登録実用新案第３１５８３８０号
【考案の概要】
【考案が解決しようとする課題】
【０００４】  過去に使用した数年分、数十年間分のカレンダー、等を保管するにはそれなりのスペースが必要になる。また、年月を積み重ねた資料から、その振り返りたい事柄を見出すことは、作業的にも容易なことではない。本考案は、これらの欠点を解決しようとするものである。
【課題を解決するための手段】
【０００５】  １頁に１年分のカレンダーと書き込み欄を設けてＢ５版程度の大きさで刷り込み、綴れば、ノート１冊分（３０枚の場合）で６０年分の書き込み欄を設けたカレンダー（以下、ダイアリーノートという。）が仕上がる。見開きで１年分の場合だと、１５年分のダイアリーノートが仕上がり、１年用のカレンダー、ダイアリー等と比べると、保管スペースの問題が解決でき、振り返りたい場合の検索作業の軽減が計られる。
【考案の効果】
【０００６】  １冊のダイアリーノートで多年用のため、過去分の見返しは、その頁をめくる事で即座に行なえ、ノートの厚さは紙質にもよるが、３〜５ｍｍ程度で、特別の保管スペースを要しない。
【図面の簡単な説明】
【０００７】
【図１】ダイアリーノート１年分を１頁にした記載例の図である。
【図２】ダイアリーノート１年分を見開き頁にした記載例の図である。
【図３】１２ケ月分の書き込み欄のみを１頁に設けた記載例の図である。
【図４】１２ケ月分の書き込み欄のみを見開き頁に設けた記載例の図である。
【図５】ダイアリーノート１ケ月分を１頁にした記載例の図である。
【図６】ダイアリーノート１ケ月分を見開き頁にした記載例の図である。
【図７】ダイアリーノート１ケ月分を１頁にした記載例の図である。
【図８】ダイアリーノート１ケ月分を見開き頁にした記載例の図である。
【考案を実施するための形態】
【０００８】  形態は、Ｂ５サイズ等のノートやＡ４サイズ等のファイル、バインダー形態のもので、多年用として複数頁を綴じ１冊にする構造とする。
【実施例】
【０００９】  書き込み欄に日付の無いダイアリーノートには、日付を自ら記載し、記事を書き込む。【００１０】  書き込み欄に罫線の無いダイアリーノートは、書き込む字の大きさを自由にできる。
【符号の説明】
【００１１】１  日付と曜日付
２  罫線の記載有り
３  罫線の記載なし
４  日付と曜日なし
【図１】
0003163367.tif 000003
【図２】
0003163367.tif 000004
【図３】
0003163367.tif 000005
【図４】
0003163367.tif 000006
【図５】
0003163367.tif 000007
【図６】
0003163367.tif 000008
【図７】
0003163367.tif 000009
【図８】
0003163367.tif 000010
(57)【要約】      （修正有）【課題】トラックの荷台のシートを、簡単に着脱でき、たるみにくく、風などでバタつきにくいもので、作業効率を高め、劣化しやすいゴム製の物より経済的なシート固定具を提供する。【解決手段】強力な磁石６に耐久性のあるプラスチックのカバー７をつけ、紐が付けられるように金具８をつけ、そこに伸び縮みしない耐久性のある紐２を取り付け、次に、トラックのシートの端の丸い金具に紐を取り付け、車体にあるフックに引っ掛けるか巻きつけて磁石で固定する。【選択図】図４
0003163366.tif 000002
【実用新案登録請求の範囲】
【請求項１】
強力な磁石にプラスチックのカバーをつけた部材に、伸び縮みしない耐久性のある紐をとりつけ、その紐をシートの端の丸い金具に取りつけ、その紐を車体のフックに引っ掛けるか、巻きつけるかして磁石で固定するシート固定具。
【考案の詳細な説明】
【技術分野】
【０００１】本考案は、磁石に紐を取り付けた部材により、荷台のシートを車体に固定する固定具である。
【背景技術】
【０００２】従来は、タイヤチューブで引張り固定したり、紐で縛り付ける物が一般的であった。
【考案の概要】
【考案が解決しようとする課題】
【０００３】これには、次のような欠点があった。（イ）タイヤチューブを利用するゴム製品は、伸び縮みする為取り付けは簡単だが強く固定することができず、シートがたるみやすかった。（ロ）伸び縮みしない紐は、しっかり固定できるがいちいち結ばなければならず、着脱がわずらわしく手間がかかった。（ハ）タイヤチューブは劣化しやすく切れやすい為、頻繁に交換が必要で不経済だった。本考案は、これらの欠点を除く為になされたものである。
【課題を解決する為の手段】
【０００４】伸び縮みしない耐久性のある紐に強力な磁石を取り付けた器具を、シートの端にある丸い金具に取りつけ、シートをひっぱりロープを掛ける車体のフックに巻きつけ磁石により車体に固定する。着脱の容易さとともに、強く固定でき問題を解決している。
【考案の効果】
【０００５】シートの取り外しが簡単にでき、たるむことなくしっかりと固定できる。強い風にも、バタつきにくい。タイヤチューブなどより、長持ちし経済的である。道具の出し入れを頻繁に繰り返す場合など時間と手間を省ける。
【図面の簡単な説明】
【０００６】
【図１】磁石にプラスチックのカバーをつけた部材に、紐を取り付けた図面である。
【図２】トラックの車体にとりつけた図面である。
【図３】取り付け部分を拡大した図面。簡単につける方法（Ａ）と巻きつけて、しっかりとつける方法（Ｂ）を示す。
【図４】磁石にプラスチックのカバーを付けた部材とはどういうものかを示す。
【図５】同じく、磁石にプラスチックのカバーを付けた部材の断面図。
【図６】磁石にプラスチックのカバーを付けた部材を、車体を傷つけないようにする為、テープで補強して仕上げた図である。
【考案を実施するための形態】
【０００７】磁石にプラスチックのカバーをつけ、紐を取り付けられるようにした部材に、伸び縮みしない耐久性のある紐をとりつける。
そして、紐をシートの端の丸い金具に通して取りつけ強くひっぱり、車体のフックに引っ掛けるか、巻きつけるかして磁石で固定する。
【実施例】
【０００８】以下、添付図面に従って一実施例を説明する。（図４，５）磁石▲６▼にプラスチックのカバー▲７▼をつけ、紐が付けられるように金具▲８▼をつけて、そこに伸び縮みしない耐久性のある紐▲２▼を取り付ける。（図２，３）次に、トラックのシート▲３▼の先端の丸い金具に紐の先端を取り付け、車体のフック▲４▼に引っ掛けるか巻きつけて磁石で固定する。
【符号の説明】
【０００９】▲１▼  プラスチックのカバーを付けた磁石の部材。
▲２▼  耐久性のある伸び縮みしない紐。
▲３▼  シート。
▲４▼  フック。
▲５▼  車体。
▲６▼  磁石
▲７▼  プラスチックのカバー。
▲８▼  紐を取り付ける為の金具。
▲９▼  補強用テープ。
▲１０▼  補強用テープを貼り完成させたプラスチックのカバーを付けた磁石の部材。
【図１】
0003163366.tif 000003
【図２】
0003163366.tif 000004
【図３】
0003163366.tif 000005
【図４】
0003163366.tif 000006
【図５】
0003163366.tif 000007
【図６】
0003163366.tif 000008
(57)【要約】      （修正有）【課題】蒸留塔にあって、フィード量が多い時、ナフサの抜き出し量が多い時等、塔頂ラインより出てくるテイルガスのガス量が多い時にタワー内圧力を適正に保つことができる蒸留塔ガス吸収装置を提供する。【解決手段】テイルガスライン（塔頂ライン）の下がりの部分に、ミストのシャワーを設置して下流方向に吹きつける（ミスト自体液体なので量的な問題もしくは下流方向はコンデンスさせる機器なので問題ない）。これによりミストのシャワー下流のガスは、凝縮吸収される。しかもミストのシャワーを下流方向に吹きつける為これがタワー内の圧力を引張る作用にもなりタワー内の圧力は低下する。下流の装置は、コンデンスさせる機器になるので温度（ミストの流体）もかなり低くしても何ら問題はない。【選択図】図１
0003163661.tif 000002
【実用新案登録請求の範囲】
【請求項１】
蒸留塔塔頂ライン下がりのライン中に冷たいナフサを降らせるミストのシャワーを設置した事を特徴とする蒸留塔ガス吸収装置パート２。
【考案の詳細な説明】
【技術分野】
【０００１】  本発明は、蒸留の防げとなる圧力を低下させるのと同時に機器の安全性を高めるものである。
【背景技術】
【０００２】  蒸留塔の塔頂ラインより出てくるテイルガスは、フィード量が、多い時、ナフサの抜き出し量が多い時等、ガス量が多い為タワー内圧力が上昇する傾向にあるこうなるとタワーの内部に変動をきたし運転が、うまくいかなくなる事が多い。
テイルガスライン（塔頂ライン）の下がりの部分に、ミストのシャワーを設置して下流方向に吹きつける（ミスト自体液体なので量的な問題もしくは下流方向はコンデンスさせる機器なので問題ない）これによりミストのシャワー下流のガスは、凝縮吸収される
しかもミストのシャワーを下流方向に吹きつける為これがタワー内の圧力を引っはる作用にもなりタワー内の圧力は低下する。
下流の装置は、コンデンスさせる機器になるので温度（ミストの流体）もかなり低くしても何ら問題はない。
【考案の概要】
【考案が解決しようとする課題】［安全性の向上、生産性の向上］
【課題を解決するための手段】［そこで本考案は、蒸留塔塔頂ガスライン下りのライン中にミストのシャワーを設置する。］  図面１参照
【考案の効果】［蒸留が低圧で低温で出来る上に軽質留分の増収も期待出来る］
【図面の簡単な説明】
【図１】蒸留塔ガス吸収装置パート２と蒸留塔付近の簡単な平面図とミストのシャワーの拡大図である。
【産業上の利用可能性】［安全性や生産性の向上のみならず石油及び化学関係の蒸留塔すべてに適用出来るすぐれものである。］
【図１】
0003163661.tif 000003
【手続補正書】
【提出日】平成22年8月6日(2010.8.6)
【手続補正１】
【補正対象書類名】実用新案登録請求の範囲
【補正対象項目名】全文
【補正方法】変更
【補正の内容】
【実用新案登録請求の範囲】
【請求項１】
蒸留塔  塔頂ライン下がりのライン中に冷たいナフサを降らせるミストのシャワーを設置した事を，特徴とする蒸留塔ガス吸収装置。